(57)【要約】【課題】他人に迷惑をかけずに、テレビ番組の音声を目覚まし用のアラームとして起床することが出来るリモート・コントロールシステムを提供する。【解決手段】時計部１５の時間情報と、記憶部１６に記憶されているタイマ設定情報とに基づいて、リモコン２００の操作部２４で設定した時間が到来すると、映像機器１００の電源がＯＮになる。そして、タイマ設定情報に従って選局された放送信号に含まれる音声信号が、無線信号送信部２０から無線信号受信部２３に送信されて、リモコン２００のスピーカ２５からテレビ番組の音声が出力される。【選択図】図２
2010283409.tif 000002
【特許請求の範囲】
【請求項１】
映像信号および音声信号を含むテレビジョン放送信号の受信が可能な映像機器と、当該機器を遠隔操作するためのリモート・コントロール装置とで構成されるリモート・コントロールシステムであって、
前記映像機器は、前記映像信号に基づいて映像を表示する表示部と、前記音声信号に基づいて音声を出力する第１のスピーカとを備え、
前記リモート・コントロール装置は、前記映像機器を遠隔操作するための操作部と、音声を出力する第２のスピーカとを備え、
前記操作部の操作により設定された時間が到来した場合に、前記映像機器から前記リモート・コントロール装置へ前記音声信号を送信し、当該音声信号に基づいて前記第２のスピーカからテレビ番組の音声を出力する一方、前記第１のスピーカから出力されるテレビ番組の音声を消音状態とすることを特徴とするリモート・コントロールシステム。
【請求項２】
請求項１に記載のリモート・コントロールシステムにおいて、
前記第２のスピーカからテレビ番組の音声が出力されている場合に、前記表示部にテレビ番組の映像が表示されることを特徴とするリモート・コントロールシステム。
【請求項３】
請求項１に記載のリモート・コントロールシステムにおいて、
前記第２のスピーカからテレビ番組の音声が出力されている場合に、前記操作部による音声切替操作に基づき、前記第２のスピーカからの音声出力を停止して、前記第１のスピーカから音声を出力することを特徴とするリモート・コントロールシステム。
【発明の詳細な説明】
【技術分野】
【０００１】
本発明は、テレビジョン放送信号の受信が可能な映像機器と、この映像機器を遠隔操作するためのリモート・コントロール装置（以下、「リモコン」と記載）とで構成されるリモート・コントロールシステムに関するものである。
【背景技術】
【０００２】
テレビジョン装置に付属しているリモコンを操作して、任意の日時（例えば、起床時間）を設定し、当該設定日時が到来した場合に、リモコンからアラーム音を鳴らして、利用者に報知する方法がある（下記特許文献１参照）。
【０００３】
上記方法においては、利用者が、リモコンに設けられた所定のスイッチを押して、アラーム音を停止させることで、当該リモコンから、テレビジョン装置の電源をオンにする信号が出力されて、テレビジョン装置が起動する。このため、例えば、利用者は、目覚まし時計の代わりに上記のテレビジョン装置を用いて起床日時を設定することで、起床と共にテレビ番組を視聴することが出来る。
【０００４】
また、リモコンに、周囲の音を検知するセンサを設け、当該センサで音が検知された場合に、リモコンから当該リモコンに対応する機器に対して、機器の電源を入れるための信号を送信する方法がある（下記特許文献２参照）。
【０００５】
上記方法においては、例えば、利用者が、テレビ受像機のリモコンの付近に目覚まし時計を置いて就寝した場合、起床時間に鳴動する目覚まし時計の音がセンサで検知されるため、起床時間に合わせてテレビ受像機を起動させることが出来る。これにより、起床と共にテレビ番組を視聴することが出来る。
【０００６】
さらに、リモコンに、テレビ受像機で受信した音声を出力するスピーカを設け、当該リモコンを操作して、スピーカの出力をテレビ受像機からリモコンに切り替えることで、テレビ受像機の音声を消音し、リモコンを携帯する視聴者のみに、テレビ受像機の音声を出力させる方法がある（下記特許文献３参照）。
【０００７】
上記方法においては、例えば、利用者が、テレビ受像機から離れた位置でテレビ番組を視聴する場合に、テレビ受像機から出力される音声で周囲の人に迷惑をかけることなく、テレビ受像機を視聴することが出来る。
【先行技術文献】
【特許文献】
【０００８】
【特許文献１】特開平６−３１１４４４号公報
【特許文献２】実開平５−４３６９０号公報
【特許文献３】特開平７−２８３９６４号公報
【発明の概要】
【発明が解決しようとする課題】
【０００９】
しかしながら、特許文献１に開示されているリモコンでは、当該リモコンに備えられているセンサにて、目覚まし時計以外の音が検知されて、利用者が予定しない時間にＡＶ機器が自動的に起動する恐れがある。例えば、利用者の睡眠中に、リモコンの付近で落下した落下物の音をセンサが検知して、テレビ受像機が自動的に起動した場合、当該テレビ受像機からテレビ番組の音声等が流れることになるため、利用者の睡眠が妨げられる。
【００１０】
また、特許文献２に開示されているテレビジョン装置では、リモコンから同じパターンのアラーム音が毎回発せられるため、使用を重ねるにつれて、利用者が、次第にアラーム音に慣れて、目覚めにくくなる恐れがある。
【００１１】
さらに、特許文献１、特許文献２のいずれにおいても、機器本体から音声が流れるため、例えば、利用者の隣に、起床時間の異なる他の睡眠者がいる場合は、この睡眠者の睡眠を妨げてしまう。また、寝床から離れた位置に置いてあるテレビ受像機から、テレビ番組の音声を利用者まで届かせるには、通常よりも大きめの音量設定にしておかなければならないため、隣室の睡眠者の睡眠を妨げてしまう恐れもある。特許文献３には、利用者のみにテレビ受像機の音声を出力させる方法が開示されているが、起床時間に合わせてテレビ受像機を起動させる方法は開示されていない。
【００１２】
本発明は、上述した問題点に鑑み、他人に迷惑をかけずに、テレビ番組の音声を目覚まし用のアラームとして起床することが出来るリモート・コントロールシステムを提供することを目的としている。
【課題を解決するための手段】
【００１３】
本発明に係るリモート・コントロールシステムは、映像信号および音声信号を含むテレビジョン放送信号の受信が可能な映像機器と、当該機器を遠隔操作するためのリモート・コントロール装置とで構成される。映像機器は、映像信号に基づいて映像を表示する表示部と、音声信号に基づいて音声を出力する第１のスピーカとを備えている。リモート・コントロール装置は、映像機器を遠隔操作するための操作部と、音声を出力する第２のスピーカとを備えている。そして、操作部の操作により設定された時間が到来した場合に、映像機器からリモート・コントロール装置へ音声信号を送信し、当該音声信号に基づいて第２のスピーカからテレビ番組の音声を出力する一方、第１のスピーカから出力されるテレビ番組の音声を消音状態とする。
【００１４】
このようにすることで、例えば、映像機器を起床時間に合わせて起動させても、映像機器の第１のスピーカから出力される音声は消音状態にあり、リモート・コントロール装置に備わる第２のスピーカから音声が出力されるので、他の睡眠者の睡眠を妨げずに、テレビ番組の音声を目覚まし用のアラームとして起床することが出来る。
【００１５】
本発明では、第２のスピーカからテレビ番組の音声が出力されている場合に、映像機器の表示部にテレビ番組の映像が表示されるようにしてもよい。
【００１６】
このようにすることで、テレビ番組の音声だけでなく、テレビ番組の映像も同時に視聴することができる。
【００１７】
また、本発明では、第２のスピーカからテレビ番組の音声が出力されている場合に、操作部による音声切替操作に基づき、第２のスピーカからの音声出力を停止して、第１のスピーカから音声を出力するようにしてもよい。
【００１８】
このようにすることで、起床後は、第２のスピーカから第１のスピーカに切り替えて、通常通りのテレビ番組の視聴を行うことが出来る。
【発明の効果】
【００１９】
本発明によれば、設定時間が到来すると、映像機器から送信される音声信号
によってリモート・コントロール装置からテレビ番組の音声が出力される一方、映像機器の音声が消音状態となるので、他人に迷惑をかけずに、テレビ番組の音声を目覚まし用のアラームとして起床することが出来る。
【図面の簡単な説明】
【００２０】
【図１】本発明に係るリモート・コントロールシステムの全体構成を示した図である。
【図２】映像機器およびリモコンのブロック図である。
【図３】映像機器の表示部に表示されるタイマ設定画面の一例を示した図である。
【発明を実施するための形態】
【００２１】
以下、本発明の実施形態につき、図面を参照しながら説明する。尚、後述する図１〜図３において、同一部分または対応する部分には、同一符号を付してある。
【００２２】
図１は、本発明に係るリモート・コントロールシステムの全体構成を示している。図中において、１００は、映像信号および音声信号を含むテレビジョン放送信号（以下、単に「放送信号」と記載）の受信が可能な映像機器であり、本実施形態においては、液晶テレビである。映像機器１００は、例えば、利用者の寝室に設置されている。
【００２３】
２００は、映像機器１００を遠隔操作するためのリモコンである。３００は、テレビジョン放送の放送電波を受信するためのアンテナである。
【００２４】
図２は、映像機器１００およびリモコン２００のブロック図を示している。図中に示すとおり、映像機器１００は、制御部１１、放送信号受信部１２、映像信号処理部１３、音声信号処理部１４、時計部１５、記憶部１６、表示部１７、スピーカ１８、リモコン信号受信部１９、無線信号送信部２０を有している。
【００２５】
制御部１１は、ＣＰＵ（Central Processing Unit）やメモリ等から構成されており、映像機器１００の各部を制御する。
【００２６】
放送信号受信部１２は、放送電波を選局するチューナ（図示省略）や、放送信号を復調する復調部（図示省略）等から構成されている。アンテナ３００で受信された放送電波に基づく放送信号は、放送信号受信部１２で受信される。
【００２７】
映像信号処理部１３は、放送信号受信部１２で受信した放送信号に含まれる映像信号に対して、画像処理等の所定の処理を行う。
【００２８】
音声信号処理部１４は、放送信号受信部１２で受信した放送信号に含まれる音声信号に対して、増幅等の所定の処理を行う。
【００２９】
時計部１５は、映像機器１００における時間情報の管理を行う。
【００３０】
記憶部１６は、例えば、ＥＥＰＲＯＭ（Electronically  Erasable and Programmable Read Only Memory）から構成されており、後述するタイマ設定における設定情報等を記憶する。
【００３１】
表示部１７は、ＬＣＤ（Liquid  Crystal Display）から構成されており、映像信号処理部１３にて画像処理等が行われた映像信号に基づいて、映像を表示する。
【００３２】
スピーカ１８は、映像機器１００に内蔵されており、音声信号処理部１４にて増幅等が行われた音声信号に基づいて、音声を出力する。スピーカ１８は、本発明における第１のスピーカの一実施形態である。
【００３３】
リモコン信号受信部１９は、例えば、赤外線を受光するフォトトランジスタから構成されており、リモコン２００から送信されるリモート・コントロール信号（以下、「リモコン信号」と記載）を受信する。
【００３４】
無線信号送信部２０は、例えば、ＦＭ（Frequency  Modulation）電波を送信するＦＭトランスミッター（送信機）から構成されており、放送信号受信部１２で受信した放送信号に含まれる音声信号をＦＭ変調して、後述する無線信号受信部２３に送信する。
【００３５】
また、リモコン２００は、制御部２１、リモコン信号送信部２２、無線信号受信部２３、操作部２４、スピーカ２５を有している。
【００３６】
制御部２１は、ＣＰＵやメモリ等から構成されており、リモコン２００の各部を制御する。
【００３７】
リモコン信号送信部２２は、例えば、赤外線を発光するＬＥＤ（Light Emitting Diode）から構成されており、後述する操作部２４での操作に対応するリモコン信号を、映像機器１００のリモコン信号受信部１９に向けて送信する。
【００３８】
無線信号受信部２３は、例えば、ＦＭ（Frequency  Modulation）電波を受信して復調するレシーバから構成されており、無線信号送信部２０から送信される音声信号を復調して、後述するスピーカ２５に出力する。
【００３９】
操作部２４は、例えば、リモコン２００に設けられたボタン部（図示省略）から構成されており、映像機器１００を遠隔操作するための各種操作が行われる。
【００４０】
スピーカ２５は、リモコン２００に内蔵されており、無線信号受信部２３にて受信した音声信号に基づいて、音声を出力する。スピーカ２５は、本発明における第２のスピーカの一実施形態である。
【００４１】
以下においては、上述したリモート・コントロールシステムにおいて、利用者が所望する時間に自動的に映像機器１００を起動させるための設定（以下、「タイマ設定」と記載）に関する一連の動作について順に説明する。
【００４２】
まず、タイマ設定を行う場合の手順について説明する。尚、以下においては、利用者が起床する時間に合わせたタイマ設定を行うものとする。
【００４３】
利用者は、上述したタイマ設定を行う場合、リモコン２００の操作部２４において所定の操作を行う。尚、当該操作時において、映像機器１００の表示部１７には、放送信号受信部１２で受信した放送信号のテレビ番組が表示されている。
【００４４】
操作部２４においてタイマ設定の操作が行われると、タイマ設定に対応するリモコン信号が、リモコン信号送信部２２から送信されて、映像機器１００のリモコン信号受信部１９で受信される。
【００４５】
リモコン信号受信部１９で、タイマ設定に対応するリモコン信号が受信されると、制御部１１は、当該リモコン信号に基づく設定画面を表示部１７に表示する。表示部１７に表示される設定画面は、例えば、図３に示すようなＯＳＤ（On Screen Display）５０である。ＯＳＤ５０は、表示部１７に表示されていたテレビ番組の映像に代えて表示してもよいし、当該映像に重ねて表示してもよい。
【００４６】
図３のＯＳＤ５０において、５１は、映像機器１００を自動的に起動させる時間を設定するための設定欄である。設定欄５１には、利用者が起床する時間（例えば、午前７時ちょうど）が設定される。
【００４７】
５２は、ＯＳＤ５０における設定内容の実行回数を設定するための設定欄である。設定欄５２では、例えば、リスト式の設定が行われ、当該リストでは「１回のみ」／「毎日」／「曜日指定」のいずれかを選択することが出来る。また、「曜日指定」が選択された場合は、例えば、日曜日から土曜日の間で、１つまたは複数の曜日を指定することが出来る「曜日指定欄」が別途表示される。上述した「リスト」および「曜日指定欄」については、図示を省略する。
【００４８】
５３は、設定欄５１で設定した時間が到来した場合にスピーカ２５から鳴らすアラーム音の種類を設定するための設定欄である。設定欄５３では、放送信号受信部１２で受信したテレビ番組の音声を選択する。なお、テレビ番組の音声のほかに、メロディ音などを選択できるようにしてもよい。テレビ番組の音声を選択する場合は、例えば、当該テレビ番組に対応するチャンネル番号（１ｃｈなど）を入力する。
【００４９】
５４は、スヌーズ設定を行う設定欄である。スヌーズとは、アラームを停止した後、一定時間が経過すると再びアラームが鳴る機能のことであり、設定欄５４では、再びアラームを鳴らすまでの時間間隔（例えば、５分）や、スヌーズ機能を実行する回数（例えば、３回）を設定することが出来る。
【００５０】
５５は、アラーム音の音量を設定する設定欄である。設定欄５５では、例えば、「音量１」〜「音量５」と「ステップトーン」の中から好みの音量を選択することが出来る。「ステップトーン」とは、音量が段階的に「音量１」から「音量５」まで上がっていくことを意味している。
【００５１】
５６は、アラーム音の鳴動時間を設定する設定欄である。設定欄５６では、例えば、「１秒」から「９９秒」の間で、任意の時間を設定することが出来る。
【００５２】
設定欄５１から設定欄５６までの設定が完了した場合は、リモコン２００の操作部２４において、当該設定情報を保存する操作を行う。これにより、タイマ設定情報は、映像機器１００の記憶部１６に記憶される。
【００５３】
また、タイマ設定情報の保存が完了することによって、表示部１７に表示されていたＯＳＤ５０は、自動的に消去され、表示部１７には、再び、テレビ番組の映像のみが表示される。
【００５４】
次に、上述したタイマ設定に基づいて、リモコン２００から目覚まし用のテレビ音声を出力する場合の動作について説明する。
【００５５】
利用者は、上述したタイマ設定を行った後、リモコン２００の操作部２４を操作して、映像機器１００の電源（図示省略）をＯＦＦにする。これにより、映像機器１００は、スタンバイ状態（待機状態）に移行する。
【００５６】
利用者は、映像機器１００の電源をＯＦＦにした後、目覚まし時計を設定することなく、就寝する。
【００５７】
そして、前述したタイマ設定で設定した時間、つまり、設定欄５１（図３）に設定した時間が到来すると、制御部１１の制御の下、映像機器１００の電源がＯＮになる。これにより、映像機器１００は、スタンバイ状態から動作状態に移行する。尚、設定欄５１に設定した時間が到来したか否かは、制御部１１によって、時計部１５の時間情報と、記憶部１６に記憶されているタイマ設定情報とを監視することにより、判断することが出来る。
【００５８】
また、制御部１１は、ＯＳＤ５０（図３）の設定欄５３に設定された内容に従って、放送信号受信部１２により放送信号を選局し、選局した放送信号に基づくテレビ番組の映像を表示部１７に表示する。
【００５９】
さらに、制御部１１は、選局した放送信号に含まれるテレビ番組の音声信号を、無線信号送信部２０からリモコン２００の無線信号受信部２３に送信する。この場合、映像機器１００のスピーカ１８からは、当該テレビ番組の音声は出力されない。すなわち、映像機器１００は、映像のみが表示され音声が出力されない消音状態にある。なお、この消音状態には、スピーカ１８から出力される音声の音量がゼロの場合だけでなく、微量の音声がスピーカ１８から出力されている場合も含まれる。
【００６０】
無線信号受信部２３で音声信号が受信されると、制御部２１の制御の下、当該音声信号に基づいて、テレビ番組の音声がスピーカ２５から出力される。尚、スピーカ２５からのテレビ番組の音声出力を停止して、映像機器１００のスピーカ１８からテレビ番組の音声を出力させる場合は、リモコン２００の操作部２４にて音声切替操作を行えばよい。これにより、起床後は、リモコン２００のスピーカ２５から映像機器１００のスピーカ１８に切り替えて、通常通りのテレビ番組の視聴を行うことが出来る。
【００６１】
このように、上述した実施形態においては、時計部１５の時間情報と、記憶部１６に記憶されているタイマ設定情報とに基づいて、リモコン２００で設定した時間が到来すると、映像機器１００の電源が入る。そして、タイマ設定情報に従って選局された放送信号に含まれる音声信号が、無線信号送信部２０から無線信号受信部２３に送信されて、リモコン２００のスピーカ２５からテレビ番組の音声が出力される。
【００６２】
このため、利用者は、枕元にあるリモコン２００から流れる、所望するテレビ番組の音声を目覚まし用のアラームとして起床することが出来る。この場合、テレビ番組がニュース等であれば、毎回異なる音声が流れるので、同じアラーム音に慣れて目覚めにくくなるということはない。さらに、映像機器１００の表示部１７には映像が表示されるので、映像と音声の両方を視聴することができる。また、テレビ番組の音声は、リモコン２００に内蔵されているスピーカ２５から出力され、映像機器１００では、スピーカ１８から出力される音声が消音状態にあるので、他の睡眠者の睡眠を妨げずに済む。
【００６３】
本発明では、以上述べた以外にも種々の実施形態を採用することができる。例えば、上記実施形態では、映像機器１００を液晶テレビとしたが、これに限られず、ＤＶＤ（Digital Versatile Disc）プレーヤやＢＤ（Blu-ray（登録商標） Disc）プレーヤと、当該プレーヤに接続しているモニタとから構成してもよい。尚、この場合、プレーヤの電源が入ると同時にモニタの電源が入る構成とするのが好ましい。このためには、プレーヤとモニタの双方が、例えば、ＨＤＭＩ（High Definition Multimedia Interface）接続におけるＣＥＣ（Consumer Electronics Control）機能を有していればよい。このようにすることで、前記と同様、映像と音声の両方を視聴することができる。
【００６４】
また、上記実施形態においては、設定時間が到来すると映像機器１００側の制御により電源をＯＮするようにしたが、リモコン２００側に時間管理機能を持たせて、設定時間が到来した場合に、リモコン２００から映像機器１００へリモコン信号を送信し、当該リモコン信号に基づいて映像機器１００の電源をＯＮするようにしてもよい。
【００６５】
また、上記実施形態においては、表示部１７をＬＣＤとしたが、映像機器１００をプラズマテレビとした場合は、表示部１７がＰＤＰ（Plasma Display Panel）から構成される。
【００６６】
また、上記実施形態においては、テレビ番組の音声信号を無線でリモコン２００に送信したが、映像機器１００とリモコン２００とを有線で接続して、音声信号を送信してもよい。
【００６７】
さらに、上記実施形態のリモコン２００に振動機能（バイブレーション機能）を持たせて、アラーム音（テレビ番組の音声）の出力と同時に、リモコン２００を振動させてもよい。
【符号の説明】
【００６８】
１１，２１    制御部
１２    放送信号受信部
１３    映像信号処理部
１４    音声信号処理部
１５    時計部
１６    記憶部
１７    表示部
１８，２５  スピーカ
１９    リモコン信号受信部
２０    無線信号送信部
２２    リモコン信号送信部
２３    無線信号受信部
２４    操作部
１００    映像機器
２００    リモート・コントロール装置
３００    アンテナ
【図１】
2010283409.tif 000003
【図２】
2010283409.tif 000004
【図３】
2010283409.tif 000005